【手続補正書】
【提出日】平成17年4月19日(2005.4.19)
【手続補正１】
【補正対象書類名】明細書
【補正対象項目名】発明の名称
【補正方法】変更
【補正の内容】
【発明の名称】周辺機器管理システム、クライアント装置、サーバ装置、それらの制御方法及び記憶媒体
【手続補正２】
【補正対象書類名】明細書
【補正対象項目名】特許請求の範囲
【補正方法】変更
【補正の内容】
【特許請求の範囲】
【請求項１】
周辺機器とクライアント装置とサーバ装置とがネットワークで接続された周辺機器管理システムであって、
前記サーバ装置は、
クライアントユーザＩＤとアカウントＩＤを含むジョブチケット発行要求を、前記クライアント装置から受信する受信手段と、
前記受信手段により受信されたジョブチケット発行要求に基づき、ジョブチケットを発行するかどうか判断する判断手段と、
前記判断手段による判断結果に応じて、前記アカウントＩＤを含むジョブチケットを前記クライアント装置へ発行する発行手段とを備え、
前記クライアント装置は、
処理対象や処理内容を示すジョブデータに、前記発行手段により発行されたジョブチケットを添付することにより、ジョブを生成する生成手段と、
前記生成手段により生成されたジョブを前記周辺機器へ送信する送信手段とを備え、
前記周辺機器は、
前記送信手段により送信されたジョブを処理する処理手段と、
前記処理手段により処理されたジョブのジョブチケットに含まれるアカウントＩＤ及びジョブ実行処理に対する課金カウントを前記サーバ装置へ通知する通知手段とを備え、
前記サーバ装置は、
前記通知手段により通知されたアカウントＩＤ及び課金カウントに基づき課金処理を実行する課金手段を更に備えたことを特徴とする周辺機器管理システム。
【請求項２】
前記サーバ装置は、前記アカウントＩＤごとに前記課金カウントの制限値を格納する格納手段を更に備え、
前記発行手段は、前記格納手段に格納された制限値に応じて、前記ジョブチケットを発行することを特徴とする請求項１に記載の周辺機器管理システム。
【請求項３】
周辺機器及びサーバ装置とネットワークを介して接続されたクライアント装置であって、
クライアントユーザＩＤとアカウントＩＤを含むジョブチケット発行要求を前記サーバ装置へ送信する要求送信手段と、
前記要求送信手段により送信されたジョブチケット発行要求に応答して発行されたジョブチケットを前記サーバ装置から受信する受信手段と、
処理対象や処理内容を示すジョブデータに前記受信手段により受信されたジョブチケットを添付することにより、ジョブを生成する生成手段と、
前記生成手段により生成されたジョブを前記周辺機器へ送信するジョブ送信手段とを備え、
前記周辺機器による前記ジョブの実行処理に対する課金カウントは、前記生成手段により生成されたジョブのジョブチケットに含まれるアカウントＩＤとともに前記周辺機器から前記サーバ装置へ通知されることを特徴とするクライアント装置。
【請求項４】
周辺機器及びサーバ装置とネットワークを介して接続されたクライアント装置の制御方法であって、
クライアントユーザＩＤとアカウントＩＤを含むジョブチケット発行要求を前記サーバ装置へ送信する要求送信ステップと、
前記要求送信ステップにおいて送信されたジョブチケット発行要求に応答して発行されたジョブチケットを前記サーバ装置から受信する受信ステップと、
処理対象や処理内容を示すジョブデータに前記受信ステップにおいて受信されたジョブチケットを添付することにより、ジョブを生成する生成ステップと、
前記生成ステップにおいて生成されたジョブを前記周辺機器へ送信するジョブ送信ステップとを備え、
前記周辺機器による前記ジョブの実行処理に対する課金カウントは、前記生成ステップにより生成されたジョブのジョブチケットに含まれるアカウントＩＤとともに前記周辺機器から前記サーバ装置へ通知されることを特徴とするクライアント装置の制御方法。
【請求項５】
周辺機器及びサーバ装置とネットワークを介して接続されたクライアント装置での処理をコンピュータに実行させるためのプログラムを記憶したコンピュータ読取可能な記憶媒体であって、
クライアントユーザＩＤとアカウントＩＤを含むジョブチケット発行要求を前記サーバ装置へ送信する要求送信ステップと、
前記要求送信ステップにおいて送信されたジョブチケット発行要求に応答して発行されたジョブチケットを前記サーバ装置から受信する受信ステップと、
処理対象や処理内容を示すジョブデータに前記受信ステップにおいて受信されたジョブチケットを添付することにより、ジョブを生成する生成ステップと、
前記生成ステップにおいて生成されたジョブを前記周辺機器へ送信するジョブ送信ステップとをコンピュータに実行させ、
前記周辺機器による前記ジョブの実行処理に対する課金カウントを、前記生成ステップにより生成されたジョブのジョブチケットに含まれるアカウントＩＤとともに前記周辺機器から前記サーバ装置へ通知するようにしたプログラムを記憶したコンピュータ読取可能な記憶媒体。
【請求項６】
周辺機器及びクライアント装置とネットワークを介して接続されたサーバ装置であって、
前記クライアント装置から、クライアントユーザＩＤとアカウントＩＤを含むジョブチケット発行要求を受信する第１の受信手段と、
前記第１の受信手段により受信されたジョブチケット発行要求に基づき、ジョブチケットを発行するかどうか判断する判断手段と、
前記判断手段による判断結果に応じて、ジョブチケットを前記クライアント装置へ発行する発行手段と、
前記クライアント装置により、前記発行手段により発行されたジョブチケットと処理対象や処理内容を示すジョブデータとから生成されたジョブが前記周辺機器へ転送され、
前記クライアント装置から前記周辺機器へ転送されたジョブのジョブチケットに含まれるアカウントＩＤ及び前記周辺機器によるジョブの実行処理に対する課金カウントを前記周辺機器から受信する第２の受信手段と、
前記第２の受信手段により受信されたアカウントＩＤ及び課金カウントに基づき、課金処理を実行する課金手段とを備えたことを特徴とするサーバ装置。
【請求項７】
アカウントＩＤごとに課金カウンタの制限値を格納する格納手段を更に備え、
前記発行手段は、前記格納手段に格納された制限値に応じて、前記ジョブチケットを発行することを特徴とする請求項６に記載のサーバ装置。
【請求項８】
周辺機器及びクライアント装置とネットワークを介して接続されたサーバ装置の制御方法であって、
前記クライアント装置から、クライアントユーザＩＤとアカウントＩＤを含むジョブチケット発行要求を受信する第１の受信ステップと、
前記第１の受信ステップにおいて受信されたジョブチケット発行要求に基づき、ジョブチケットを発行するかどうか判断する判断ステップと、
前記判断ステップにおける判断結果に応じて、ジョブチケットを前記クライアント装置へ発行する発行ステップと、
前記クライアント装置により、前記発行ステップにおいて発行されたジョブチケットと処理対象や処理内容を示すジョブデータとから生成されたジョブが前記周辺機器へ転送され、
前記クライアント装置から前記周辺機器へ転送されたジョブのジョブチケットに含まれるアカウントＩＤ及び前記周辺機器によるジョブの実行処理に対する課金カウントを前記周辺機器から受信する第２の受信ステップと、
前記第２の受信ステップにおいて受信されたアカウントＩＤ及び課金カウントに基づき、課金処理を実行する課金ステップとを備えたことを特徴とするサーバ装置の制御方法。
【請求項９】
アカウントＩＤごとに課金カウンタの制限値を格納する格納ステップを更に備え、
前記発行ステップでは、前記格納ステップに格納された制限値に応じて、前記ジョブチケットを発行することを特徴とする請求項８に記載のサーバ装置の制御方法。
【請求項１０】
周辺機器及びクライアント装置とネットワークを介して接続されたサーバ装置での処理をコンピュータに実行させるためのプログラムを記憶したコンピュータ読取可能な記憶媒体であって、
前記クライアント装置から、クライアントユーザＩＤとアカウントＩＤを含むジョブチケット発行要求を受信する第１の受信ステップと、
前記第１の受信ステップにおいて受信されたジョブチケット発行要求に基づき、ジョブチケットを発行するかどうか判断する判断ステップと、
前記判断ステップにおける判断結果に応じて、ジョブチケットを前記クライアント装置へ発行する発行ステップと、
前記クライアント装置により、前記発行ステップにおいて発行されたジョブチケットと処理対象や処理内容を示すジョブデータとから生成されたジョブが前記周辺機器へ転送され、
前記クライアント装置から前記周辺機器へ転送されたジョブのジョブチケットに含まれるアカウントＩＤ及び前記周辺機器によるジョブの実行処理に対する課金カウントを前記周辺機器から受信する第２の受信ステップと、
前記第２の受信ステップにおいて受信されたアカウントＩＤ及び課金カウントに基づき、課金処理を実行する課金ステップとをコンピュータに実行させるためのプログラムを記憶したコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は、ネットワーク上で、周辺機器がクライアント装置からのジョブを実行処理し、その課金を行うための周辺機器管理システム、クライアント装置、サーバ装置、それらの制御方法及び記憶媒体に関する。
【手続補正４】
【補正対象書類名】明細書
【補正対象項目名】０００６
【補正方法】変更
【補正の内容】
【０００６】
【課題を解決するための手段】
本発明の周辺機器管理システムは、周辺機器とクライアント装置とサーバ装置とがネットワークで接続された周辺機器管理システムであって、前記サーバ装置は、クライアントユーザＩＤとアカウントＩＤを含むジョブチケット発行要求を、前記クライアント装置から受信する受信手段と、前記受信手段により受信されたジョブチケット発行要求に基づき、ジョブチケットを発行するかどうか判断する判断手段と、前記判断手段による判断結果に応じて、前記アカウントＩＤを含むジョブチケットを前記クライアント装置へ発行する発行手段とを備え、前記クライアント装置は、処理対象や処理内容を示すジョブデータに、前記発行手段により発行されたジョブチケットを添付することにより、ジョブを生成する生成手段と、前記生成手段により生成されたジョブを前記周辺機器へ送信する送信手段とを備え、前記周辺機器は、前記送信手段により送信されたジョブを処理する処理手段と、前記処理手段により処理されたジョブのジョブチケットに含まれるアカウントＩＤ及びジョブ実行処理に対する課金カウントを前記サーバ装置へ通知する通知手段とを備え、前記サーバ装置は、前記通知手段により通知されたアカウントＩＤ及び課金カウントに基づき課金処理を実行する課金手段を更に備えたことを特徴とする。
本発明のクライアント装置は、周辺機器及びサーバ装置とネットワークを介して接続されたクライアント装置であって、クライアントユーザＩＤとアカウントＩＤを含むジョブチケット発行要求を前記サーバ装置へ送信する要求送信手段と、前記要求送信手段により送信されたジョブチケット発行要求に応答して発行されたジョブチケットを前記サーバ装置から受信する受信手段と、処理対象や処理内容を示すジョブデータに前記受信手段により受信されたジョブチケットを添付することにより、ジョブを生成する生成手段と、前記生成手段により生成されたジョブを前記周辺機器へ送信するジョブ送信手段とを備え、前記周辺機器による前記ジョブの実行処理に対する課金カウントは、前記生成手段により生成されたジョブのジョブチケットに含まれるアカウントＩＤとともに前記周辺機器から前記サーバ装置へ通知されることを特徴とする。
本発明のサーバ装置は、周辺機器及びクライアント装置とネットワークを介して接続されたサーバ装置であって、前記クライアント装置から、クライアントユーザＩＤとアカウントＩＤを含むジョブチケット発行要求を受信する第１の受信手段と、前記第１の受信手段により受信されたジョブチケット発行要求に基づき、ジョブチケットを発行するかどうか判断する判断手段と、前記判断手段による判断結果に応じて、ジョブチケットを前記クライアント装置へ発行する発行手段と、前記クライアント装置により、前記発行手段により発行されたジョブチケットと処理対象や処理内容を示すジョブデータとから生成されたジョブが前記周辺機器へ転送され、前記クライアント装置から前記周辺機器へ転送されたジョブのジョブチケットに含まれるアカウントＩＤ及び前記周辺機器によるジョブの実行処理に対する課金カウントを前記周辺機器から受信する第２の受信手段と、前記第２の受信手段により受信されたアカウントＩＤ及び課金カウントに基づき、課金処理を実行する課金手段とを備えたことを特徴とする。
【手続補正５】
【補正対象書類名】明細書
【補正対象項目名】００４２
【補正方法】変更
【補正の内容】
【００４２】
続いて、ステップＳ９０４では、図５で示したアカウントＩＤ毎の課金情報を参照して、アカウントＩＤの課金カウンタ５０２が課金カウンタの制限値（最大値）５０３に達しているか否かを判断する。この判断の結果、制限値（最大値）に達していない場合には、ステップＳ９０５に進む。一方、ステップＳ９０４の判断の結果、既にアカウントＩＤの課金カウンタ５０２が設定された課金カウンタの制限値（最大値）５０３に達している場合には、ステップＳ９０６に進む。